(57)【要約】【課題】凝集効果が高く、しかも反応液のｐＨ値の微調整が可能で、効率よく凝集を行うことができ、薬剤量を少なくできるとともに、高水質の処理液を得ることができる凝集処理方法および装置を提供する。【解決手段】被処理液を反応槽２のｐＨ調整剤添加部２ａに導入し、ｐＨ調整剤制御装置１１により処理液の濁度に応じて添加量を制御しながらｐＨ調整剤路Ｌ５からｐＨ調整剤を添加して適正ｐＨ付近のｐＨ値に調整し、無機凝集剤添加部２ｂにおいて無機凝集剤制御装置１２で反応液が適正ｐＨ値となるように添加量を制御しながら無機凝集剤を添加し、有機高分子凝集剤添加部２ｃで有機高分子凝集剤を添加して凝集反応を行い、固液分離槽３で固液分離する。【選択図】図１
2005270752.tif 000002
【特許請求の範囲】
【請求項１】
濁度成分含有液にｐＨ調整剤を添加するｐＨ調整剤添加工程と、
反応液のｐＨが所定ｐＨとなるように無機凝集剤を添加して反応させる無機凝集剤添加工程と、
反応液を処理液と汚泥に分離する固液分離工程と
を含む凝集処理方法。
【請求項２】
処理液の濁度が高くなったときにｐＨ調整剤の添加量を減少させ、処理液の濁度が低くなったときにｐＨ調整剤の添加量を増加させるように制御する請求項１記載の方法。
【請求項３】
無機凝集剤の添加量が下限値を下回らないようにｐＨ調整剤の添加量を制御する請求項１または２記載の方法。
【請求項４】
無機凝集剤の添加後に、有機高分子凝集剤を添加する有機高分子凝集剤添加工程を含む請求項１ないし３のいずれかに記載の方法。
【請求項５】
濁度成分含有液を導入し、ｐＨ調整剤および無機凝集剤を順次添加して反応させる反応槽と、
反応槽の反応液を処理液と汚泥に分離する固液分離槽と、
反応槽の反応液のｐＨを測定するｐＨ測定器と、
固液分離槽の処理液の濁度を測定する濁度測定器と、
処理液の濁度に応じてｐＨ調整剤の添加量を制御するｐＨ調整剤制御装置と、
反応液のｐＨが所定ｐＨとなるように無機凝集剤の添加量を制御する無機凝集剤制御装置と
を含む凝集処理装置。
【請求項６】
ｐＨ調整剤制御装置は、処理液の濁度が高くなったときにｐＨ調整剤の添加量を減少させ、処理液の濁度が低くなったときにｐＨ調整剤の添加量を増加させるように制御するように構成されている請求項５記載の装置。
【請求項７】
ｐＨ調整剤制御装置は、無機凝集剤の添加量が下限値を下回らないようにｐＨ調整剤の添加量を制御するように構成されている請求項５または６記載の装置。
【請求項８】
反応槽は、無機凝集剤の添加後に、有機高分子凝集剤を添加する有機高分子凝集剤添加手段を含む請求項５ないし７のいずれかに記載の装置。
【発明の詳細な説明】
【技術分野】
【０００１】
本発明は、濁度成分含有液の凝集処理方法および装置に関し、特に濁度成分含有液を無機凝集剤およびｐＨ調整剤により凝集処理して濁度成分を除去する凝集処理方法および装置に関するものである。
【背景技術】
【０００２】
河川水、湖沼水等の用水、あるいは下水、産業排水等の排水には、無機物、有機物等の濁度成分が含まれており、このような濁度成分を含む濁度成分含有液は凝集により濁度成分を除去する処理が行われている。このような凝集処理には、無機凝集剤を用いる凝集処理、有機高分子凝集剤を用いる凝集処理、ならびに無機および有機凝集剤を用いる凝集処理がある。無機凝集剤としては硫酸バンド、塩化アルミニウム等の金属塩が用いられ、有機高分子凝集剤としてはポリアクリルアミド等が用いられている。また凝集処理に適したｐＨに調整するために、ｐＨ調整剤として、塩酸、硫酸等の酸、水酸化ナトリウム、消石灰等のアルカリが用いられている。
【０００３】
このうち無機凝集剤を用いる凝集処理（無機凝集剤および有機高分子凝集剤を用いる凝集処理の無機凝集剤を用いる凝集部分を含む）は、含まれる濁度成分の除去に必要な無機凝集剤を添加した後、ｐＨ調整剤を添加して凝集処理に適したｐＨに調整してフロックを形成し、沈降分離、ろ過分離等の固液分離により固形分を除去し、清澄な分離液を得ている（例えば特許文献１）。この方法において、処理水濁度に応じて無機凝集剤の添加率を制御する方法が知られている。
【０００４】
無機凝集剤および有機高分子凝集剤を用いる凝集処理の場合は、先に無機凝集剤を添加し、その後ｐＨ調整剤を添加しｐＨ調整して凝集処理を行った後、有機高分子凝集剤を添加してフロック化を促進し、固液分離性を高める処理を行っている。この場合、有機高分子凝集剤の添加の前または後に、さらにｐＨ調整剤を添加して有機高分子凝集剤に適したｐＨ値に再調整することもある。
【０００５】
これらの方法において、濁度成分含有液が酸性またはアルカリ性の場合は、あらかじめｐＨ調整剤を添加して中和したのち凝集処理を行うことがあり、例えば高アルカリ排水に対して硫酸等の酸でｐＨを低下させた後、無機凝集剤を添加し、さらに水酸化ナトリウム等のアルカリで最終的にｐＨ調整する方法が知られている。この場合でも基本的には、中和した後に先に無機凝集剤を添加し、その後ｐＨ調整剤を添加しｐＨ調整して凝集処理が行われている。
【０００６】
このような無機凝集剤を用いる凝集処理において、先に無機凝集剤を添加した後にｐＨ調整剤を添加する理由は、無機凝集剤およびｐＨ調整剤を添加して金属水酸化物を析出させる際、先に無機凝集剤を添加して濁度成分と混合しておき、後からｐＨ調整剤を添加することにより、金属水酸化物が液中の濁度成分を抱き込んで析出しやすいようにしているものと推測される。またｐＨ調整剤を先に添加すると、後から無機凝集剤を添加することによりｐＨが変動するため、適正ｐＨに調整するのが困難になることも考えられる。
【０００７】
このように従来の無機凝集剤を用いる凝集処理では、先に無機凝集剤を添加した後ｐＨ調整剤を添加して凝集処理を行っているが、ｐＨ調整剤としては、塩酸、硫酸等の強酸、あるいは水酸化ナトリウム、消石灰等の強アルカリが用いられているため、被処理液の水質等の変動やｐＨ調整剤の添加量の変動などにより、凝集条件を変える際、反応液のｐＨ値が適正ｐＨ値から外れやすい。凝集処理の処理条件はそれぞれの処理系においてほぼ一定であるが、被処理液の濁度成分やその他の成分の濃度、温度等の水質条件等の変動により、無機凝集剤やｐＨ調整剤の添加量を変化させる必要がある。このように無機凝集剤やｐＨ調整剤の添加量を変化させる場合、強酸あるいは強アルカリを用いると少量の添加でｐＨ値が大幅に変動するため、ｐＨ調整剤の過不足が生じやすく、適正ｐＨ値に調整するのが困難である。
【０００８】
すなわち一般的な凝集処理では、被処理液または処理液の濁度の変動に応じて無機凝集剤の添加量を変化させ、反応液のｐＨ値が適正ｐＨ値を維持するようにｐＨ調整剤の添加量を変化させる制御を行っているが、ｐＨ調整剤の添加量の変化を微調整することは困難である。強酸あるいは強アルカリを用いると、ｐＨ調整剤の少量の添加でｐＨ値が大きく変動するため、反応液ｐＨの変動幅が大きくなり、適正ｐＨ値を外れると処理効果が低下し、処理液の水質が悪化する。処理液の水質が悪化すると、無機凝集剤およびｐＨ調整剤の添加量を増加させるように制御が行われるようになっているので、薬剤コストも高くなる。
【０００９】
高分子凝集剤については、先にｐＨ調整剤を添加してｐＨ調整した後、高分子凝集剤を添加することは行われている。例えば特許文献２には、金属イオンを含む酸性廃液について、アルカリを添加して金属イオンを凝集させ、その後高分子凝集剤を添加してフロックを形成させている。しかしｐＨ調整した後に無機凝集剤を添加することは示されていない。
【特許文献１】特開平１０−５７９６７号公報
【特許文献２】特開平７−９６１０４号公報
【発明の開示】
【発明が解決しようとする課題】
【００１０】
本発明の課題は、凝集効果が高く、しかも反応液のｐＨ値の微調整が可能で、効率よく凝集を行うことができ、薬剤量を少なくできるとともに、高水質の処理液を得ることができる凝集処理方法および装置を提供することである。
【課題を解決するための手段】
【００１１】
本発明は、次の凝集処理方法および装置である。
（１）  濁度成分含有液にｐＨ調整剤を添加するｐＨ調整剤添加工程と、
反応液のｐＨが所定ｐＨとなるように無機凝集剤を添加して反応させる無機凝集剤添加工程と、
反応液を処理液と汚泥に分離する固液分離工程と
を含む凝集処理方法。
（２）  処理液の濁度が高くなったときにｐＨ調整剤の添加量を減少させ、処理液の濁度が低くなったときにｐＨ調整剤の添加量を増加させるように制御する上記（１）記載の方法。
（３）  無機凝集剤の添加量が下限値を下回らないようにｐＨ調整剤の添加量を制御する上記（１）または（２）記載の方法。
（４）  無機凝集剤の添加後に、有機高分子凝集剤を添加する有機高分子凝集剤添加工程を含む上記（１）ないし（３）のいずれかに記載の方法。
（５）  濁度成分含有液を導入し、ｐＨ調整剤および無機凝集剤を順次添加して反応させる反応槽と、
反応槽の反応液を処理液と汚泥に分離する固液分離槽と、
反応槽の反応液のｐＨを測定するｐＨ測定器と、
固液分離槽の処理液の濁度を測定する濁度測定器と、
処理液の濁度に応じてｐＨ調整剤の添加量を制御するｐＨ調整剤制御装置と、
反応液のｐＨが所定ｐＨとなるように無機凝集剤の添加量を制御する無機凝集剤制御装置と
を含む凝集処理装置。
（６）  ｐＨ調整剤制御装置は、処理液の濁度が高くなったときにｐＨ調整剤の添加量を減少させ、処理液の濁度が低くなったときにｐＨ調整剤の添加量を増加させるように制御するように構成されている上記（５）記載の装置。
（７）  ｐＨ調整剤制御装置は、無機凝集剤の添加量が下限値を下回らないようにｐＨ調整剤の添加量を制御するように構成されている上記（５）または（６）記載の装置。
（８）  反応槽は、無機凝集剤の添加後に、有機高分子凝集剤を添加する有機高分子凝集剤添加手段を含む上記（５）ないし（７）のいずれかに記載の装置。
【００１２】
本発明において処理の対象となる被処理液は濁度成分含有液であり、河川水、湖沼水等の用水、あるいは下水、産業排水等の排水など、無機物、有機物等の濁度成分を含む液が挙げられる。濁度成分以外に可溶性の無機物、有機物などが含まれていてもよい。被処理液は中性、酸性、アルカリ性のいずれでもよいが、アルカリ性特にｐＨ９以上の高アルカリ性の場合は薬剤の添加順序による凝集効果の改善が著しいので好ましい。
【００１３】
本発明において凝集に用いられる無機凝集剤としては、硫酸バンド、塩化アルミニウム、ポリ塩化アルミニウム、硫酸第２鉄、塩化第２鉄等の酸性または塩基性の金属塩が用いられ、特に上記例示のような弱酸性または弱塩基性でｐＨ緩衝能を有する酸性または塩基性金属塩が好ましい。本発明では無機凝集剤により形成される析出物のフロック化を促進する凝集助剤として有機高分子凝集剤を添加するのが好ましいが、このような有機高分子凝集剤としてはポリアクリルアミド、その加水分解物、ポリアクリルナトリウム等の水溶性ポリマーが用いられる。またｐＨ調整剤としては、塩酸、硫酸等の酸、水酸化ナトリウム、消石灰等のアルカリが用いられる。これらはいずれも従来から用いられている薬剤が使用可能である。
【００１４】
本発明の凝集処理方法では、ｐＨ調整剤添加工程において、被処理液である濁度成分含有液にｐＨ調整剤を添加して、凝集のための適正ｐＨ値に近いｐＨ値に調整し、その後無機凝集剤添加工程において、反応液のｐＨが適正ｐＨとなるように無機凝集剤を添加し反応させて凝集を行い、固液分離工程において、反応液を処理液と汚泥に分離する。例えば被処理液がアルカリ性の場合は、ｐＨ調整剤として酸を添加して適正ｐＨ値より若干アルカリ側になるようにラフな調整をし、その後無機凝集剤を添加して適正ｐＨに調整し、凝集反応を行うことができる。このような凝集処理により、被処理液中の濁度成分は凝集フロックに含まれて汚泥として分離され、濁度成分が除去された処理液が得られる。
【００１５】
上記のｐＨ調整剤および無機凝集剤の種類、添加量、適正ｐＨ値などは、あらかじめ処理対象となる被処理液（濁度成分含有液）について凝集試験を行い、決めておく。被処理液の濁度成分やその他の成分の濃度、温度等の水質条件は一定ではなく経時的に変動するが、あらかじめ決めるこれらの種類、添加量、適正ｐＨ値などは、任意の時点の被処理液について決めてもよく、平均的な水質または典型的な水質の被処理液について決めてもよい。凝集試験は、ｐＨ調整剤、無機凝集剤の順序で添加して凝集が認められる種類、添加量として決めるのが好ましいが、ここで決める値はおおよその値でよいので、逆の順序でもよい。
【００１６】
実際の処理系では水質条件が経時的に変動するため、その変動に伴ってそれぞれの添加量を変化させるように制御する。すなわち被処理液にあらかじめ決められたｐＨ調整剤を添加し、反応液のｐＨがあらかじめ決められた適正ｐＨとなるように無機凝集剤を添加し反応させて凝集を行う。このときｐＨ調整剤の添加により、反応液のｐＨがあらかじめ決められた適正ｐＨ付近のｐＨ値に調整され、その後無機凝集剤を添加することによりｐＨが微調整され、容易に適正ｐＨ値に調整して、薬剤の過不足なしに効率よく凝集を行うことができる。このとき弱酸性または弱塩基性でｐＨ緩衝能を有する無機凝集剤でｐＨ調整することにより、強酸性または強塩基性のｐＨ調整剤でｐＨ調整する場合に比べて、少ない添加量でｐＨを微調整することができ、容易に適正ｐＨ値に調整することが可能である。
【００１７】
上記の処理において、水質条件の経時的な変動によって凝集効果が悪化すると、処理液の濁度が高くなる。このとき処理液の濁度が高くなったときにｐＨ調整剤の添加量を減少させ、処理液の濁度が低くなったときにｐＨ調整剤の添加量を増加させるように制御すると、凝集効果が回復する。すなわち凝集効果が悪化して処理液の濁度が高くなったときにｐＨ調整剤の添加量を減少させると、所定ｐＨにするために添加する無機凝集剤の添加量は増加するため、凝集効果は高くなる。
【００１８】
逆に処理液の濁度が低くなったときは、無機凝集剤の添加量が適正な範囲である限り薬剤の添加量を変えなくてもよいが、無機凝集剤の添加量が過剰になっている場合には、無機凝集剤の添加量を減少させるのが好ましい。この場合、ｐＨ調整剤の添加量を増加させるように制御すると、所定ｐＨにするために添加する無機凝集剤の添加量は減少する。これらの添加量の増減は段階的に行うことができる。例えば処理液の濁度の増減に伴ってｐＨ調整剤の添加量を段階的に増減させ、濁度の増減が生じなくなった段階でｐＨ調整剤の添加量の増減を停止することができる。
【００１９】
このようにｐＨ調整剤の添加量を処理液の濁度に応じて制御することにより、無機凝集剤の添加量を間接的に制御することができ、これにより水質の変動に対応して適切な量で無機凝集剤を添加することができる。無機凝集剤の添加量が少なくなりすぎると、凝集反応が不安定となるため、無機凝集剤の添加量には下限を設けて、無機凝集剤の添加量が下限値を下回らないようにｐＨ調整剤の添加量を制御するのが好ましく、これによりｐＨ調整剤の過剰添加による無機凝集剤の過少添加を防止することができる。
【００２０】
無機凝集剤の添加後に有機高分子凝集剤添加工程を設け、有機高分子凝集剤を添加するのが好ましく、これにより析出物のフロック化を促進し、固液分離性を高めることができる。この場合、有機高分子凝集剤の添加の前または後に、さらにｐＨ調整剤を添加して有機高分子凝集剤に適したｐＨ値に再調整することもできる。
【００２１】
このような処理に用いられる凝集処理装置としては、濁度成分含有液を導入し、ｐＨ調整剤および無機凝集剤を順次添加して反応させる反応槽と、反応槽の反応液を処理液と汚泥に分離する固液分離槽と、反応槽の反応液のｐＨを測定するｐＨ測定器と、固液分離槽の処理液の濁度を測定する濁度測定器と、処理液の濁度に応じてｐＨ調整剤の添加量を制御するｐＨ調整剤制御装置と、反応液のｐＨが所定ｐＨとなるように無機凝集剤の添加量を制御する無機凝集剤制御装置とを含む凝集処理装置が用いられる。
【００２２】
反応槽は、ｐＨ調整剤および無機凝集剤を順次添加して反応させるように、ｐＨ調整剤添加部および無機凝集剤添加部に順次区画されているのが好ましい。無機凝集剤の添加後に、有機高分子凝集剤を添加する場合は、有機高分子凝集剤添加部をさらに区画して設けるのが好ましい。ｐＨ調整剤添加部、無機凝集剤添加部および有機高分子凝集剤添加部には、それぞれｐＨ調整剤、無機凝集剤および有機高分子凝集剤添加手段を設けることができる。被処理液導入手段はｐＨ調整剤添加部に設けられる。
【００２３】
ｐＨ調整剤制御装置は、濁度測定器で測定された処理液の濁度に応じてｐＨ調整剤の添加量を制御するように構成される。このｐＨ調整剤制御装置は、処理液の濁度が高くなったときにｐＨ調整剤の添加量を減少させ、処理液の濁度が低くなったときにｐＨ調整剤の添加量を増加させるように制御するように構成されているのが好ましい。またｐＨ調整剤制御装置は、無機凝集剤の添加量が下限値を下回らないようにｐＨ調整剤の添加量を制御するように構成されているのが好ましい。
【００２４】
無機凝集剤制御装置は、ｐＨ測定器で測定された反応液のｐＨが所定ｐＨ、好ましくは適正ｐＨとなるように無機凝集剤の添加量を制御するように構成される。無機凝集剤制御装置は、無機凝集剤の添加量が下限値を下回らないように設定されているのが好ましく、無機凝集剤の添加量が下限値を下回る場合には、その下限値を下回らないようにｐＨ調整剤の添加量を制御するための薬注信号をｐＨ調整剤制御装置に送るように構成されているのが好ましい。
【００２５】
本発明において、先にｐＨ調整剤を添加し、その後適正ｐＨとなるように無機凝集剤を添加して凝集を行うことにより、後述の実施例に示すように、逆の添加順序の場合よりも凝集効果が高くなる。特に高アルカリ性の被処理液の場合は、無機凝集剤による荷電中和効率が低いが、先にｐＨ調整剤を添加してある程度ｐＨを下げた状態で無機凝集剤を添加することにより、効率よく無機凝集剤による濁度成分の荷電中和を効率よく行うことができるため凝集効果が高くなり、高水質の処理液を得ることができる。このため無機凝集剤の添加量を節減できる上、後段にアルカリ剤を用いてｐＨ調整を行う必要がなくなる。
【００２６】
また本発明では、反応液をｐＨ調整剤の添加により適正ｐＨ付近のｐＨ値に調整した後、ｐＨ緩衝能を有する無機凝集剤を添加してｐＨ調整するため、ｐＨの微調整が可能であり、容易に適正ｐＨ値に調整して、薬剤の過不足なしに効率よく凝集を行うことができる。このとき処理液の濁度が高くなったときにｐＨ調整剤の添加量を減少させ、処理液の濁度が低くなったときにｐＨ調整剤の添加量を増加させるように制御することにより、無機凝集剤の添加量を増減させて凝集効果を容易に回復させ、添加量を適正量に維持することができる。
【発明の効果】
【００２７】
本発明によれば、濁度成分含有液にｐＨ調整剤を添加して適正ｐＨ値に近いｐＨ値に調整し、その後反応液のｐＨが所定のｐＨとなるように無機凝集剤を添加し反応させて凝集を行い、反応液を処理液と汚泥に分離するようにしたので、凝集効果が高く、しかも反応液のｐＨ値の微調整が可能で、効率よく凝集を行うことができ、薬剤量を少なくできるとともに、高水質の処理液を得ることができる。
【発明を実施するための最良の形態】
【００２８】
以下、本発明の実施の形態を図面により説明する。図１は本発明の実施形態による凝集処理方法および装置を示すフロー図である。
【００２９】
図１において、１は被処理液槽、２は反応槽、３は固液分離槽で、それぞれの間は連絡路Ｌ２ａ、Ｌ２ｂにより連絡している。被処理液槽１には被処理液路Ｌ１が連絡し、固液分離槽３には処理液路Ｌ３および汚泥路Ｌ４が連絡している。反応槽２はｐＨ調整剤添加部２ａ、無機凝集剤添加部２ｂ、有機高分子凝集剤添加部２ｃが上流側から区画されていて、それぞれ攪拌器４ａ、４ｂ、４ｃが設けられ、またポンプ５を有するｐＨ調整剤路Ｌ５、ポンプ６を有する無機凝集剤路Ｌ６、ポンプ７を有する有機高分子凝集剤路Ｌ７が連絡している。無機凝集剤添加部２ｂにはｐＨセンサー８ａが設けられてｐＨ計８に接続している。固液分離槽３には濁度センサー９ａが設けられて濁度計９に接続している。１１はｐＨ調整剤制御装置で、濁度計９で測定された処理液の濁度に応じてポンプ５によるｐＨ調整剤の添加量を制御するように構成されている。１２は無機凝集剤制御装置で、ｐＨ計８で測定された反応液のｐＨが凝集の適正ｐＨとなるようにポンプ６による無機凝集剤の添加量を制御するように構成されている。
【００３０】
図１の装置による凝集処理方法は、被処理液路Ｌ１から被処理液槽１に被処理液を導入し、連絡路Ｌ２ａから反応槽２に導入して攪拌器４ａ、４ｂ、４ｃで攪拌して凝集反応を行い、連絡路Ｌ２ｂから固液分離槽３に導入して固液分離を行い、分離した処理液を処理液路Ｌ３から取り出し、汚泥を汚泥路Ｌ４から排出する。反応槽２では、まず被処理液をｐＨ調整剤添加部２ａに導入し、ｐＨ調整剤路Ｌ５からポンプ５によりｐＨ調整剤を添加してラフなｐＨ調整を行い、被処理液のｐＨをあらかじめ決められた適正ｐＨ付近のｐＨ値に調整する。ラフにｐＨ調整された被処理液は無機凝集剤添加部２ｂに入り、無機凝集剤路Ｌ６からポンプ６により、適正ｐＨ値となるように無機凝集剤を添加して凝集反応を行う。無機凝集剤を添加した反応液は有機高分子凝集剤添加部２ｃに入り、有機高分子凝集剤路Ｌ７からポンプ７により有機高分子凝集剤を添加して２次凝集反応を行い、フロックを成長させる。
【００３１】
この間無機凝集剤添加部２ｂでは、ｐＨセンサー８ａにより反応液のｐＨが測定され、ｐＨ信号ａはｐＨ計８から無機凝集剤制御装置１２に入力される。また固液分離槽３では、濁度センサー９ａにより処理液の濁度が測定され、濁度信号ｂは濁度計９からｐＨ調整剤制御装置１１に入力される。そしてｐＨ調整剤制御装置１１では、濁度信号ｂに対応して制御信号ｃが演算されてポンプ５に送られ、処理液の濁度に応じてｐＨ調整剤の添加量を制御する。また無機凝集剤制御装置１２では、ｐＨ信号ａに対応して制御信号ｄが演算されてポンプ６に送られ、適正ｐＨ値となるように無機凝集剤の添加量を制御する。無機凝集剤制御装置１２は、無機凝集剤の添加量が下限値を下回らないように設定されており、無機凝集剤の添加量が下限値を下回る場合には、その下限値を下回らないようにｐＨ調整剤の添加量を制御するための薬注信号ｅをｐＨ調整剤制御装置１１に送るように構成されている。このようにｐＨ調整剤および無機凝集剤の添加量を制御することにより、反応液のｐＨが微調整され、容易に適正ｐＨ値に調整することができ、薬剤の過不足なしに効率よく凝集を行うことができる。
【実施例１】
【００３２】
被処理液としてクリーニング工場から排出される高アルカリ排水（ｐＨ１１．５、濁度５００度以上）をビーカーに取り、硫酸バンド、硫酸、高分子凝集剤クリファームＰＡ８２３（栗田工業株式会社登録商標）を、添加量は変えずに以下に示す順序で添加して凝集処理を行った。結果は表１に示すが、同じ濁度に処理するのに要する硫酸バンドの必要量は、従来法の比較例１に比べて、実施例１では約２割低い添加率であった。
比較例１：（１）硫酸バンド、（２）硫酸、（３）高分子凝集剤。
実施例１：（１）硫酸、（２）硫酸バンド、（３）高分子凝集剤。
【００３３】
【表１】
2005270752.tif 000003
【実施例２】
【００３４】
実施例１の被処理液について、図１に示すフローにより凝集処理を行った。被処理液の供給量は２０ｍ3／ｈｒである。
まず比較例２として、上記比較例１と同じ順序で薬注する従来法により処理を行ったところ、反応槽２のｐＨが目標ｐＨ７.０に対して６.０〜８.０の範囲で変動し、ｐＨが６.３以下または７.８以上の範囲では極端に凝集が悪化して、処理水質を悪化させる状態が見られた。この結果、無機凝集剤の平均添加率は５０００ｍｇ／ｌ、処理水濁度は８０〜９０度となった。
【００３５】
その後実施例２として、図１に示すフローによる凝集処理に切り換えたところ、反応槽２（無機凝集剤添加部２ｂ）のｐＨが目標ｐＨ７.０に対してｐＨの変動幅は６.８〜７.２程度まで改善され、ｐＨのズレによる処理の悪化は見られなくなった。この結果、本方式適用後３ヶ月の平均無機凝集剤添加率は３５００ｍｇ／ｌとなり、比較例２に対して約３割の使用量削減が可能であった。
【産業上の利用可能性】
【００３６】
濁度成分含有液を無機凝集剤およびｐＨ調整剤により凝集処理して濁度成分を除去する凝集処理方法および装置に利用可能である。
【図面の簡単な説明】
【００３７】
【図１】本発明の実施形態による凝集処理方法および装置を示すフロー図である。
【符号の説明】
【００３８】
１  被処理液槽
２  反応槽
２ａ  ｐＨ調整剤添加部
２ｂ  無機凝集剤添加部
２ｃ  有機高分子凝集剤添加部
３  固液分離槽
４ａ、４ｂ、４ｃ  攪拌器
５、６、７  ポンプ
８  ｐＨ計
８ａ  ｐＨセンサー
９  濁度計
９ａ  濁度センサー
１１  ｐＨ調整剤制御装置
１２  無機凝集剤制御装置
【図１】
2005270752.tif 000004